(57)【要約】【課題】  従来と異なる新規な画像形成装置を提供する。【解決手段】  操作パネルユニット９と支持部１３とを係合するスライド係合機構と、化粧カバー１５により覆われ、操作パネルユニット９を支持部１３に締結固定するネジ１９とを設ける。これにより、操作パネルユニット９を支持部１３に対して水平方向に移動させるのみでスライド係合機構による操作パネルユニット９と支持部１３との係合固定を完了させることができる。スライド係合機構による係合固定の終了後、ネジ１９にて操作パネルユニット９と支持部１３とを締結固定すれば、操作パネルユニット９が支持部１３に対して水平方向に移動してしまうことを防止できる。【選択図】図２
2013157799.tif 000002
【特許請求の範囲】
【請求項１】
画像形成部と、
利用者により操作される操作部を有する操作パネルユニットと、
前記操作パネルユニットの一部を上面側から覆うとともに、前記操作パネルユニットに着脱自在に装着された化粧カバーと、
前記操作パネルユニットを下方側から支持する支持部と、
前記操作パネルユニット及び前記支持部のうちいずれか一方に設けられた係合部が、他方に設けられた被係合部に水平方向から嵌り込むように移動して係合するスライド係合機構と、
前記化粧カバーにより覆われ、前記操作パネルユニットを前記支持部に締結固定するネジと
を備えることを特徴とする画像形成装置。
【請求項２】
前記操作パネルユニットの端部であって前記係合部の移動方向と平行な部位の端部と前記化粧カバーとの間には、前記係合部の移動方向に沿った隙間が設けられていることを特徴とする請求項１に記載の画像形成装置。
【請求項３】
前記ネジは、前記化粧カバーと同一側から前記操作パネルユニットに組み付けられていることを特徴とする請求項１又は２に記載の画像形成装置。
【請求項４】
前記操作パネルユニットには、情報を表示する表示装置が組み付けられており、
さらに、前記表示装置は、前記操作パネルユニットのうち前記化粧カバーが装着された領域、及び前記スライド係合機構が設けられた領域と異なる領域に配設されていることを特徴とする請求項１ないし３のいずれか１項に記載の画像形成装置。
【請求項５】
前記表示装置が配設された領域を挟んで一方側に前記化粧カバーが装着された領域が設定され、他方側に前記スライド係合機構が設けられた領域が設定されていることを特徴とする請求項４に記載の画像形成装置。
【請求項６】
前記表示装置は、利用者が触れた位置を検出して利用者の操作を受け付けるタッチパネル機能を有することを特徴とする請求項４又は５に記載の画像形成装置。
【請求項７】
前記化粧カバーは、テンキー用のカバーであることを特徴とする請求項１ないし６のいずれか１項に記載の画像形成装置。
【請求項８】
前記操作パネルユニットには、情報を表示する表示装置が組み付けられており、
さらに、前記操作パネルユニットには、前記表示装置の表示内容を予め設定された初期表示内容とするボタンスイッチのみが設けられた領域が設定されていることを特徴とする請求項１ないし３のいずれか１項に記載の画像形成装置。
【請求項９】
前記ボタンスイッチは、省電力モードから復帰させる機能を有することを特徴とする請求項８に記載の画像形成装置。
【請求項１０】
前記画像形成部の作動を制御する第１制御部と、
前記第１制御部の協働する第２制御部と、
前記操作パネルユニットに設けられた機器の作動を制御する第３制御部と、
前記省電力モード時には、前記第１制御部及び前記第２制御部は省電力モードとなっており、
さらに、前記第３制御部は、前記省電力モードの前記第１制御部及び前記第２制御部を復帰させることを特徴とする請求項９に記載の画像形成装置。
【発明の詳細な説明】
【技術分野】
【０００１】
本発明は、画像形成装置に関するものである。
【背景技術】
【０００２】
例えば、特許文献１に記載の画像形成装置の操作パネルでは、部品が組み込まれる取付穴が形成されたベース部材全体を、１枚のプレート部材で覆う構造とすることにより、様々な意匠の操作パネルを安価に製造可能としている。
【先行技術文献】
【特許文献】
【０００３】
【特許文献１】特開２００６−２９５８８５号公報
【発明の概要】
【発明が解決しようとする課題】
【０００４】
しかし、特許文献１に記載の発明では、ベース部材全体を１枚のプレート部材で覆う構造であるので、プレート部材全体を交換する必要があり、交換する部材が増大する場合がある。
【０００５】
本発明は、上記点に鑑み、従来と異なる新規な画像形成装置を提供することを目的とする。
【課題を解決するための手段】
【０００６】
本発明は、上記目的を達成するために、画像形成装置に用いられる操作パネル構造であって、利用者により操作される操作部（７）を有する操作パネルユニット（９）と、操作パネルユニット（９）の一部を上面側から覆うとともに、操作パネルユニット（９）に着脱自在に装着された化粧カバー（１５）と、操作パネルユニット（９）を下方側から支持する支持部（１３）と、操作パネルユニット（９）及び支持部（１３）のうちいずれか一方に設けられた係合部（１７Ａ）が、他方に設けられた被係合部（１７Ｅ）に水平方向から嵌り込むように移動して係合するスライド係合機構（１７）と、化粧カバー（１５）により覆われ、操作パネルユニット（９）を支持部（１３）に締結固定するネジ（１９）とを備えることを特徴とする。
【０００７】
これにより、本発明では、操作パネルユニット（９）を支持部（１３）に対して水平方向に移動させるのみでスライド係合機構（１７）による操作パネルユニット（９）と支持部（１３）との係合固定を完了させることができる。
【０００８】
そして、スライド係合機構（１７）による係合固定の終了後、ネジ（１９）にて操作パネルユニット（９）と支持部（１３）とを締結固定すれば、操作パネルユニット（９）が支持部（１３）に対して水平方向に移動してしまうことを防止できる。
【０００９】
したがって、スライド係合機構（１７）による係合固定を確実に維持することができるとともに、操作パネルユニット（９）と支持部（１３）とを強固に固定できる。しかも、ネジ（１９）は化粧カバー（１５）によりネジ（１９）が覆われて隠れた状態となるので、意匠性に優れた美感を得ることができる。
【００１０】
以上のように、本発明によれば、従来と異なる新規な画像形成装置を得ることができるとともに、組立性及び意匠性に優れた操作パネルを得ることができる。
なお、本発明において「係合部（１７Ａ）が被係合部（１７Ｅ）に水平方向から嵌り込むように移動して係合する」とは、例えば「被係合部（１７Ａ）が穴状に形成され、係合部（１７Ａ）が当該穴に嵌り込む突起状に形成されている構成」に限定されるものではなく、その他の構成であってもよい。
【００１１】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１２】
【図１】本発明の実施形態に係る画像形成装置の外観斜視図である。
【図２】操作パネルユニット９の上面図である。
【図３】支持部１３の上面図である。
【図４】化粧カバー１５の着脱を示す説明図である。
【図５】（ａ）は図２のＡ−Ａ断面図であり、（ｂ）はパネル本体９ＡのＡ−Ａ断面相当の断面図である。
【図６】操作パネルユニット９の下面側斜視図である。
【図７】本発明の実施形態に係る画像形成装置の制御系ブロック図である。
【発明を実施するための形態】
【００１３】
以下に説明する「発明の実施形態」は実施形態の一例を示すものである。つまり、特許請求の範囲に記載された発明特定事項等は、下記の実施形態に示された具体的手段や構造等に限定されるものではない。
【００１４】
そして、本実施形態は、画像読取機能、ファクシミリ機能及び複写機能を兼ね備えた画像形成装置に本発明を適用したものである。以下、本発明の実施形態を図面と共に説明する。
【００１５】
１．画像形成装置の概要
本実施形態に係る画像形成装置１は、図１に示すように、画像形成部３及び当該画像形成部３の上方側に設けられた原稿読取部５等を備えている。画像形成部３は用紙等のシートに画像を形成する。
【００１６】
なお、本実施形態に係る画像形成部３は、現像剤像を担持する感光ドラム、感光ドラムの表面を帯電させる帯電器、帯電した感光ドラムを露光して静電潜像を形成する露光器、感光ドラムに担持された現像剤をシート又は転写ベルトに転写させる転写体、及びシートに転写された現像剤を定着させる定着器等を内蔵する電子写真方式の画像形成手段である。
【００１７】
画像形成部３にて画像形成が終了したシートは排紙空間３Ａに排出される。排紙空間３Ａは、画像形成部３の上部であって、原稿読取部５の下方側に設定された排紙トレイを構成する。なお、本実施形態に係る排紙空間３Ａは、前面側に向けて開口している。このため、本実施形態では、利用者は、前面側から排紙空間３Ａに手を挿入して画像形成が終了したシートを回収する。
【００１８】
原稿読取部５は、原稿に記載された文字や図形等を撮像素子にて読み取り、その読み取った内容を電子情報として出力する。なお、画像形成装置１のファクシミリ機能を利用する場合には、原稿読取部５にて読み取られた電子情報が電話回線等を介して送信される。
【００１９】
また、排紙空間３Ａの開口部の上方側、つまり原稿読取部５の前方側には、操作パネルユニット９が設けられている。操作パネルユニット９には、利用者により操作される操作部７が設けられている。操作部７には、複写機能やファクシミリ機能等を利用する際に操作するテンキー（数字キー）等の各種の操作キー７Ａ、及び復帰用のボタンスイッチ７Ｂが設けられている。
【００２０】
操作部７、つまり操作パネルユニット９の上面側は、図２に示すように、テンキー等の操作キー７Ａが設けられた領域７Ｃ、表示装置１１が設けられた領域７Ｄ、及びボタンスイッチ７Ｂのみが設けられた領域７Ｅが設定されている。
【００２１】
表示装置１１は、利用者による操作内容や画像形成装置１の状態等、各種の情報を表示する。なお、本実施形態に係る表示装置１１は、情報表示機能に加えて、利用者の入力操作を受け付ける、いわゆるタッチパネル機能を有している。つまり、表示装置１１は、操作部７としての機能も兼ね備えている。
【００２２】
そして、上記３つの領域７Ｃ〜７Ｅは、水平方向に沿って左右方向に直列配置され、かつ、表示装置１１が設けられた領域７Ｄを挟んで一方側にテンキー等の操作キー７Ａが設けられた領域７Ｃが設定され、他方側にボタンスイッチ７Ｂのみが設けられた領域７Ｅが設定されている。
【００２３】
２．操作パネルユニットの構造等
操作パネルユニット９は、図３に示す支持部１３に組み付けられている。支持部１３は、下方側から操作パネルユニット９を支持する。テンキー等の操作キー７Ａが設けられた領域７Ｃは、図２に示すように、化粧カバー１５により覆われている。化粧カバー１５は、図４に示すように、領域７Ｃを上面側から覆うとともに、操作パネルユニット９に着脱自在に装着されている。
【００２４】
なお、化粧カバー１５には、テンキー等の各操作キー７Ａに対応した説明や数字が記載されている。これらの記載内容や具体的な表記形態は、仕向地や仕様毎に異なっている。このため、化粧カバー１５を変更すれば、操作パネルユニット９全体を変更することなく、様々な仕向地や仕様に対応することができる。
【００２５】
化粧カバー１５の裏面側、つまり化粧カバー１５のうち下方側に面する側には、鉤状の係止突起（図示せず。）が設けられている。一方、操作パネルユニット９、つまりパネル本体９Ａには、上記係止突起と係合する突起部（図示せず。）が設けられた被係止穴１５Ａが設けられている。
【００２６】
そして、化粧カバー１５の係止突起は、被係止穴１５Ａの突起部と係合する位置と非係合状態となる位置との間で弾性的に変位可能であるので、本実施形態に係る化粧カバー１５は、操作パネルユニット９に対して着脱自在となる。
【００２７】
操作パネルユニット９は、図６に示すように、樹脂製のパネル本体９Ａ、表示装置１１、及び操作キー７Ａやボタンスイッチ７Ｂ等の電気接点が収納されたスイッチボックス７Ｆ、７Ｇ、及び表示装置用基板７Ｈ等から構成されている。そして、スイッチボックス７Ｆ、７Ｇ、及び表示装置用基板７Ｈは、パネル本体９Ａの裏面側、つまり支持部１３側に組み付けられている。
【００２８】
また、操作パネルユニット９は、図５（ａ）に示すスライド係合機構１７、及び図４に示すＰネジ等のネジ１９等により支持部１３に固定されている。スライド係合機構１７は、図５（ａ）に示すように、パネル本体９Ａの裏面側に設けられた係合部１７Ａ、及び支持部１３に設けられた被係合部１７Ｅ等を有して構成されている。
【００２９】
係合部１７Ａは、図５（ｂ）に示すように、パネル本体９Ａの裏面から支持部１３側に延びる腕部１７Ｂ、及び腕部１７Ｂの先端側に設けられた突起部１７Ｃ等からなる鉤状又はフック状の部位である。そして、腕部１７Ｂ及び突起部１７Ｃは、パネル本体９Ａと共に領域７Ｅの裏面側に樹脂にて一体成形されている。
【００３０】
突起部１７Ｃは、図５（ａ）に示すように、係合部１７Ａと被係合部１７Ｅとが係合したときに、被係合部１７Ｅと係合接触する部位である。そして、突起部１７Ｃのうちパネル本体９Ａ側に設定された係合面１７Ｄは、図５（ｂ）に示すように、その突出方向先端側に向かうほど、パネル本体９Ａから離隔するように突出方向に対して傾斜している。
【００３１】
なお、突起部１７Ｃの突出方向とは、係合部１７Ａを被係合部１７Ｅに係合させるべく、操作パネルユニット９を支持部１３に対して移動させるときの操作パネルユニット９の移動方向をいう。因みに、本実施形態では、突起部１７Ｃの突出方向は、帯板状に形成されたパネル本体９Ａの長手方向と一致する。
【００３２】
被係合部１７Ｅは、図５（ａ）に示すように、突起部１７Ｃが嵌り込む穴部１７Ｆが設けられた箱状であって、支持部１３と共に樹脂にて一体成形されている。そして、係合部１７Ａが水平方向に移動して突起部１７Ｃが穴部１７Ｆに嵌り込むと、係合部１７Ａと被係合部１７Ｅとの係合が完了する。
【００３３】
具体的には、図５（ａ）においては、操作パネルユニット９、つまり係合部１７Ａが被係合部１７Ｅに対して右側から左側に水平移動すると、傾斜した係合面１７Ｄにより案内されながら突起部１７Ｃが穴部１７Ｆに嵌り込む。
【００３４】
そして、係合面１７Ｄが傾斜しているため、突起部１７Ｃが穴部１７Ｆに深く嵌り込むほど、操作パネルユニット９には、操作パネルユニット９を支持部１３側に強く引き付ける係合力が作用する。このため、操作パネルユニット９のうち少なくとも領域７Ｅ側は、当該係合力により支持部１３に強固に固定される。
【００３５】
なお、支持部１３には、上記の係合力を受けるとともに、操作部７を利用者が操作する際に操作パネルユニット９に作用する操作力を受ける荷重受部１３Ａが複数箇所に設けられている。
【００３６】
因みに、係合部１７Ａと被係合部１７Ｅとの係合状態を開放するには、係合部１７Ａと被係合部１７Ｅとを係合させる場合とは逆に、操作パネルユニット９を支持部１３に対して左側から右側に水平移動させればよい。
【００３７】
このため、本実施形態に係る画像形成装置１では、図２に示すように、操作パネルユニット９、つまりパネル本体９Ａの長手方向端部であって係合部１７Ａの移動方向と平行な部位の端部９Ｂと化粧カバー１５との間に隙間９Ｃが設けられている。この隙間９Ｃは、係合部１７Ａの移動方向に沿った方向が幅方向となるような溝状の隙間である。
【００３８】
また、ネジ１９は、操作パネルユニット９のうち領域７Ｄを挟んで領域７Ｅと反対側の領域７Ｃ、つまり化粧カバー１５に覆われた部位に装着される。領域７Ｃには、図６に示すように、ネジ１９が挿入される複数の貫通穴９Ｄが設けられている。そして、ネジ１９は、化粧カバー１５側から貫通穴９Ｄを通して支持部１３に到達し、操作パネルユニット９と支持部１３とを締結固定する。
【００３９】
因みに、一対の貫通穴９Ｄのうち一方側の貫通穴９Ｄ（本実施形態では、表示装置１１側の貫通穴９Ｄ）には、支持部１３に固定された補強部材を兼ねる金属製の接地部材１３Ｂ（図３参照）と導通を確保するための金属板（図示せず。）が装着される。
【００４０】
３．操作パネルユニットの支持部への組み付け
係合部１７Ａの突起部１７Ｃが被係合部１７Ｅの穴部１７Ｆに嵌り込む向きに操作パネルユニット９を水平移動させて係合部１７Ａと被係合部１７Ｅとを係合させるとともに、係合部１７Ａの腕部１７Ｂと穴部１７Ｆの周囲とを接触させる。これにより、支持部１３に対する操作パネルユニット９の左右方向の位置が決められた状態でスライド係合機構１７が係合状態となる。
【００４１】
このとき、パネル本体９Ａに設けられた一対の位置決突起９Ｅ（図６参照）を支持部１３に設けられた位置決穴１３Ｃ（図３参照）に挿入し、支持部１３に対する操作パネルユニット９の前後方向の位置を決めた後、ネジ１９にて操作パネルユニット９を支持部１３に締結固定する。これにより、表示装置１１を挟んで一方側がスライド係合機構１７により強固に支持部１３に固定され、他方側がネジ１９により強固に支持部１３に固定された構成となる。
【００４２】
そして、ネジ１９の締め込みが完了した後、領域７Ｃに化粧カバー１５を装着する。これにより、ネジ１９等が化粧カバー１５により覆われた状態となる。
４．画像形成装置の制御系
４．１  制御系の概略構成
画像形成部３は、図７に示すように、主制御部Ｃ１及び副制御部Ｃ２により制御される。なお、画像形成部３は、上記の感光ドラム等に加え、シートを搬送する搬送ローラやピックアップローラ等のローラ、及びこれらローラに駆動力を付与する電動モータ等を有している。
【００４３】
そして、主制御部Ｃ１は、印刷すべき画像データの展開処理、電動モータの制御処理、スキャナ等の露光器を制御するプロセス制御処理、及びファクシミリ用の電話回線やコンピュータ等との通信を制御する通信制御処理等を行う。
【００４４】
副制御部Ｃ２は、主制御部Ｃ１と協働して画像形成部３等を制御する制御部であって、主制御部Ｃ１から指令を受けて、帯電器等の高い駆動電圧を必要とする機器等を直接的に制御する。
【００４５】
原稿読取部５は読取制御部Ｃ４により制御される。具体的には、読取制御部Ｃ４は、撮像素子の制御や読取データの処理等の画像読取処理を行う。操作パネルユニット９の操作部７及び表示装置１１は、操作制御部Ｃ３により制御される。具体的には、表示装置１１の駆動やタッチパネルの機能を介して操作された内容の認識等を行う。
【００４６】
４．２  ボタンスイッチと制御系との関係
ボタンスイッチ７Ｂ及び表示装置１１等は、操作制御部Ｃ３により制御されている。そして、画像形成装置１の電源スイッチ（図示せず。）が投入された後、シートへの画像形成、ファクシミリの送受信及び画像読取機能のいずれも作動しない状態が第１所定時間以上継続すると、画像形成装置１の作動モードが第１省電力モードに移行する。
【００４７】
第１省電力モードでは、制御部の中で最も消費電力が大きい主制御部Ｃ１が停止するとともに、主制御部Ｃ１で実行されていた処理のうち、消費電力の小さい処理、例えばファクシミデータを受信したか否かを判定する処理等が副制御部Ｃ２に引き継がれる。
【００４８】
そして、第１省電力モード時において、副制御部Ｃ２でも処理可能な処理の実行が指令されたときには当該処理を副制御部Ｃ２にて実行し、一方、副制御部Ｃ２では処理不可能な処理の実行が指令されたときには、第１省電力モードが解除され、主制御部Ｃ１にて当該処理が実行される。
【００４９】
第１省電力モード時において、シートへの画像形成、ファクシミリの送受信及び画像読取機能のいずれも作動しない状態が第２所定時間以上継続すると、画像形成装置１の作動モードが第２省電力モードに移行する。
【００５０】
第２省電力モードは、第１省電力モードより更に消費電力を抑制するための作動モードである。具体的には、主制御部Ｃ１及び副制御部Ｃ２を停止させ、操作制御部Ｃ３のみ作動させる。因みに、読取制御部Ｃ４は、画像形成部３の制御と直接的な関係が無いため、主制御部Ｃ１、副制御部Ｃ２及び操作制御部Ｃ３の作動と連動していない。
【００５１】
そして、第２省電力モード時にボタンスイッチ７Ｂが操作されて操作制御部Ｃ３が当該操作を感知すると、操作制御部Ｃ３は、主制御部Ｃ１及び副制御部Ｃ２を再起動させ、運転モードを省電力モードから通常運転モードに復帰させる。なお、通常運転モードとは、少なくとも主制御部Ｃ１、副制御部Ｃ２及び操作制御部Ｃ３が作動し、画像形成機能の全てが作動可能な運転モードをいう。
【００５２】
また、第２省電力モード時以外の運転モード時にボタンスイッチ７Ｂが操作されると、操作制御部Ｃ３は、表示装置１１の表示内容を予め設定された初期表示内容に戻す初期化スイッチとして機能する。
【００５３】
５．本実施形態に係る画像形成装置の特徴
本実施形態では、上述したように、操作パネルユニット９を支持部１３に対して水平方向に移動させるのみでスライド係合機構１７による操作パネルユニット９と支持部１３との係合固定を完了させることができる。
【００５４】
そして、スライド係合機構１７による係合固定の終了後、ネジ１９にて操作パネルユニット９と支持部１３とを締結固定すれば、操作パネルユニット９が支持部１３に対して水平方向に移動してしまうことを防止できる。
【００５５】
したがって、スライド係合機構１７による係合固定を確実に維持することができるとともに、操作パネルユニット９と支持部１３とを強固に固定できる。しかも、ネジ１９は化粧カバー１５によりネジ１９が覆われて隠れた状態となるので、意匠性に優れた美感を得ることができる。
【００５６】
以上のように、本実施形態によれば、従来と異なる新規な画像形成装置を得ることができるとともに、組立性及び意匠性に優れた操作パネルを得ることができる。
また、本実施形態では、操作パネルユニット９の端部であって、係合部１７Ａの移動方向と平行な部位の端部９Ｂと化粧カバー１５との間には、隙間９Ｃが設けられていることを特徴としている。このため、本実施形態では、隙間９Ｃが設けられているので、操作パネルユニット９を容易に支持部１３に対して水平方向に移動させることができる。
【００５７】
また、本実施形態では、ネジ１９は、化粧カバー１５と同一側から操作パネルユニット９に組み付けられていることを特徴としている。
これにより、本実施形態では、ネジ１９の組付作業及び化粧カバー１５の組付作業を同一側から行うことができるので、組立工程時において、ワークである操作パネルユニット９の向きを作業工程毎に変更する、又は作業者が作業工程毎に姿勢を変更する等の工程を必要とせず、作業工数を低減することができる。
【００５８】
ところで、表示装置１１が組み付けられた部位は、表示装置用基板７Ｈ等が配置されるので、図６に示すように、ネジを装着するスペースを確保することが難しい場合がある。
これに対して、本実施形態では、表示装置１１は、操作パネルユニット９のうち化粧カバー１５が装着された領域、及びスライド係合機構１７が設けられた領域と異なる領域に配設されていることを特徴としている。これにより、本実施形態では、ネジ１９を装着するスペースを容易に確保することができ得る。
【００５９】
また、表示装置１１が配設された部位は、他の部位に比べて重量が大きくなるので、表示装置１１が配設された部位を強固に固定する必要があるものの、上述したように、表示装置１１が配設された部位にネジを装着するスペースを確保することが難しい場合がある。
【００６０】
これに対して、本実施形態では、表示装置１１が配設された領域７Ｄを挟んで一方側に化粧カバー１５が装着された領域７Ｃが設定され、他方側にスライド係合機構１７が設けられた領域７Ｅが設定されていることを特徴としている。
【００６１】
これにより、本実施形態では、重量が大きい表示装置１１が配設された領域７Ｄの両側が固定された構造となるので、領域７Ｄをネジ等で直接的に固定しなくても、表示装置１１が配設された部位を強固に固定することができる。
【００６２】
因みに、仮に、化粧カバー１５が装着された領域、及びスライド係合機構１７が設けられた領域が共に表示装置１１が配設された領域に対して同一側に設定された場合には、表示装置１１が配設された領域は片側のみで固定された構成となるので、当該領域を強固に固定することが難しい。
【００６３】
（その他の実施形態）
上述の実施形態では、係合部１７Ａが操作パネルユニット９に設けられ、被係合部１７Ｅが支持部１３に設けられていたが、本発明はこれに限定されるものではなく、例えば、被係合部１７Ｅが操作パネルユニット９に設けられ、係合部１７Ａが支持部１３に設けられた構成としてもよい。
【００６４】
また、上述の実施形態では、係合部１７Ａ及び被係合部１７Ｅ、並びにネジ１９はそれぞれ複数設けられていたが、本発明はこれに限定されるものではなく、少なくともそれぞれを１つずつ設ければ十分である。
【００６５】
また、上述の実施形態では、ネジ１９が化粧カバー１５と同一側から操作パネルユニット９に組み付けられていたが、本発明はこれに限定されるものではなく、例えば、裏面側又は側面側からネジ１９を組み付ける構成としてもよい。
【００６６】
また、上述の実施形態では、化粧カバー１５が装着された領域７Ｃ、及びスライド係合機構１７が設けられた領域７Ｅと異なる領域に設定されていたが、本発明はこれに限定される、化粧カバー１５及びスライド係合機構１７を同一の領域に設定してもよい。
【００６７】
また、上述の実施形態では、表示装置１１が配設された領域７Ｄを挟んで長手一方側に化粧カバー１５が装着された領域が設定され、長手方向他方側にスライド係合機構１７が設けられた領域が設定されていたが、本発明はこれに限定されるものではなく、例えば、領域７Ｃ及び領域７Ｅも共に長手方向一端側若しくは他端側のみに設定する、又は領域７Ｃ及び領域７Ｅそれぞれを領域７Ｄを挟んで前後方向両側に設定してもよい。
【００６８】
また、上述の実施形態では、化粧カバー１５は、テンキー用のカバーであったが、本発明はこれに限定されるものではなく、その他のカバーであってもよい。
また、上述の実施形態では、領域Ｅはボタンスイッチ７Ｂのみ設けられた領域であったが、本発明はこれに限定されるものではなく、その他のスイッチ等が設けられていてもよい。
【００６９】
また、上述の実施形態では、領域７Ｃ〜７Ｅの３つの領域のみが操作パネルユニット９に設けられていたが、本発明はこれに限定されるものではなく、その他の領域が設定されていてもよい。
【００７０】
また、操作パネルユニット９の外観意匠は、上述の実施形態（例えば、図１）に示されたものに限定されるものではない。
また、本発明は、特許請求の範囲に記載された発明の趣旨に合致するものであればよく、上述の実施形態に限定されるものではない。
【符号の説明】
【００７１】
１… 画像形成装置  ３… 画像形成部  ３Ａ… 排紙空間  ５… 原稿読取部
７… 操作部  ７Ａ… 操作キー  ７Ｂ… ボタンスイッチ  ７Ｃ…操作キーの領域
７Ｄ…表示装置の領域  ７Ｅ…ボタンスイッチの領域
７Ｆ、７Ｇ… スイッチボックス  ７Ｈ…表示装置用基板
９… 操作パネルユニット  ９Ａ… パネル本体  ９Ｂ… 端部  ９Ｃ… 隙間
９Ｄ… 貫通穴  ９Ｅ… 位置決突起  １１… 表示装置  １３… 支持部
１３Ａ… 荷重受部  １３Ｂ… 接地部材  １３Ｃ… 位置決穴
１５… 化粧カバー  １５Ａ… 被係止穴  １７… スライド係合機構
１７Ａ… 係合部  １７Ｂ… 腕部  １７Ｃ… 突起部  １７Ｅ… 被係合部
１７Ｄ… 係合面  １７Ｆ… 穴部  １９… ネジ  Ｃ１… 主制御部
Ｃ２… 副制御部  Ｃ４… 読取制御部  Ｃ３… 操作制御部
【図１】
2013157799.tif 000003
【図２】
2013157799.tif 000004
【図３】
2013157799.tif 000005
【図４】
2013157799.tif 000006
【図５】
2013157799.tif 000007
【図６】
2013157799.tif 000008
【図７】
2013157799.tif 000009